(57)【要約】【課題】誤操作による光トランシーバの取り出しを阻止し、光通信状態での回線断による伝送エラーの発生を防止する光トランシーバのイジェクトボタン装置を提供する。【解決手段】ホスト装置内に配設されたガイドレール１０ａ，１０ｂに沿って移動されるイジェクトバー１１とアーム駆動バー１２を備える。イジェクトバー１１は、バネ部材１３により初期位置に戻るように付勢され、前端側にイジェクトボタン１４を有し、後端側にレバー機構１５が連結されている。アーム駆動バー１２は、イジェクトバーの第１の押込み位置まで連動して移動した後に移動が停止する係合機構１８を有し、前端側に回動アーム機構１７が連結されている。イジェクトバー１１が、第１の押込み位置まで押込まれたときに、回動アーム機構１７が駆動され、引き続く第２の押込み位置まで押込まれたときに、レバー機構１５を駆動して光トランシーバ６を押出す。【選択図】図１
2010066289.tif 000002
【特許請求の範囲】
【請求項１】
ホスト装置に挿着される光トランシーバを挿抜するイジェクト装置であって、
前記ホスト装置内に配設されたガイドレールに沿って移動されるイジェクトバーとアーム駆動バーを備え、
前記イジェクトバーは、バネ部材により初期位置に戻るように付勢され、前端側にイジェクトボタンを有し、後端側にレバー機構が連結され、前記アーム駆動バーは、前記イジェクトバーの第１の押込み位置まで連動して移動した後に移動が停止する係合機構を有し、前端側に回動アーム機構が連結され、
前記イジェクトバーが、前記第１の押込み位置まで押込まれたときに、前記回動アーム機構が駆動され、引き続く第２の押込み位置まで押込まれたときに、前記レバー機構を駆動して前記光トランシーバを押出すことを特徴とする光トランシーバのイジェクト装置。
【請求項２】
前記回動アーム機構は、前記アーム駆動バーの移動で少なくとも９０°の回動が与えられ、前記光トランシーバに光コネクタが挿入されている状態では、回動が阻止されることを特徴とする請求項１に記載の光トランシーバのイジェクト装置。
【請求項３】
前記イジェクトバーは、前記第２の押込み位置で保持され、再度の押込みで前記保持が解除されることを特徴とする請求項１または２に記載の光トランシーバのイジェクト装置。
【発明の詳細な説明】
【技術分野】
【０００１】
本発明は、ホスト装置に挿着されたプラガブル光トランシーバを取り外すためのイジェクト装置に関する。
【背景技術】
【０００２】
ホスト装置に挿着されたプラガブル光トランシーバ（以下、光トランシーバという）は、ベールや摘みを指で操作して挿抜する機構が各種提案されている（例えば、特許文献１参照）。ホスト装置への光トランシーバの実装密度が高くなるにつれて、その挿抜の操作性の改善が求められている。また、ホスト装置から光トランシーバの取り出し操作は、光ファイバの接続を外し、光通信状態を断にしてからでないと行うことができず、挿抜の操作には所定のステップが必要とされる（例えば、特許文献２参照）。
【特許文献１】特開２００７−２２６０３９号公報
【特許文献２】特開２００６−１５４５９４号公報
【発明の開示】
【発明が解決しようとする課題】
【０００３】
光通信の高速通信が検討され（例えば、１００ＧｂＥイーサネット（登録商標））ているが、これに伴って光トランシーバの電気コネクタピン数も多くなる。このため、ホスト装置の挿抜、とりわけ光トランシーバを引き抜く際には、大きな力を必要とする。また、ホスト装置に複数の光トランシーバが高密度で実装されている場合は、挿抜作業も容易ではない。これに対し、光トランシーバの取り出しを容易にするために、ＰＣカード等で採用されているイジェクトボタン方式を用いることが考えられる。このイジェクトボタン方式は、ボタンを押すことでＰＣカードを排出する機構で、種々のものが提案されている。
【０００４】
光トランシーバの挿抜機構にイジェクトボタン方式を用いることにより、光トランシーバの取り出しに要する力が小さくて済むことや作業が速やかに行えるため、保守作業の効率化を期待することができる。しかしながら、この方式は、光トランシーバの取り出しが容易で操作が簡単なことから、安易にイジェクトボタンが押される可能性がある。このため、ホスト装置に複数の光トランシーバが高密度で実装されている場合、本来取り外してはならない光トランシーバをイジェクトして、使用中の回線を断にしてしまう恐れがある。
【０００５】
本発明は、上述した実情に鑑みてなされたもので、ホスト装置に挿着された光トランシーバに光ファイバが接続されている状態では、イジェクトボタンが操作されないようにして、誤操作による光トランシーバの取り出しを阻止し、光通信状態での回線断による伝送エラーの発生を防止する光トランシーバのイジェクトボタン装置の提供を目的とする。
【課題を解決するための手段】
【０００６】
本発明による光トランシーバのイジェクト装置は、ホスト装置内に配設されたガイドレールに沿って移動されるイジェクトバーとアーム駆動バーを備える。イジェクトバーは、バネ部材により初期位置に戻るように付勢され、前端側にイジェクトボタンを有し、後端側にレバー機構が連結されている。アーム駆動バーは、イジェクトバーの第１の押込み位置まで連動して移動した後に移動が停止する係合機構を有し、前端側に回動アーム機構が連結されている。イジェクトバーが、第１の押込み位置まで押込まれたときに、回動アーム機構が駆動され、引き続く第２の押込み位置まで押込まれたときに、レバー機構を駆動して光トランシーバを押出す。
【０００７】
上記の回動アーム機構は、アーム駆動バーの移動で少なくとも９０°の回動が与えられ、光トランシーバに光コネクタが挿入されている状態では、回動が阻止される形状とすることができる。
また、上記のイジェクトバーは、第２の押込み位置で保持され、再度の押込みで前記の保持が解除されるようしてもよい。
【発明の効果】
【０００８】
本発明のイジェクト装置によれば、多数の光トランシーバが高密度で配列されていても、取り外す対象の光トランシーバから光ファイバの接続が外されていなければ、イジェクトボタンの押込み操作が阻止されるため、誤操作による光トランシーバの取り外しを防止することができる。また、光トランシーバは、光ファイバの回線接続が断とされてから取り外されるので、ホスト装置における伝送エラーの発生を防止することができる。
【発明を実施するための最良の形態】
【０００９】
図により本発明の実施の形態を説明する。図１は本発明による光トランシーバのイジェクト装置の概略を説明する模式図、図２は複数の光トランシーバの配列状態の一例を示す図、図３は光トランシーバのイジュエクト動作を説明する模式図、図４は光トランシーバの挿着動作を説明する模式図である。
【００１０】
図中、１はホスト装置基板、２はフロントパネル、３はパネル開口、４はボタン挿通口、５はカム収納部、５ａは挿通部、６は光トランシーバ、７は光コネクタ、８は光ファイバ、１０ａ，１０ｂはガイドレール、１１はイジェクトバー、１１ａ，１１ｂは端部、１２はアーム駆動バー、１２ａは端部、１３はバネ部材、１４はイジェクトボタン、１４ａはボタン軸、１５はレバーアーム、１５ａ，１５ｂ，１５ｃは軸ピン、１６は押出し部材、１７は回動アーム機構、１７ａは駆動アーム、１７ｂはアームカム、１７ｃは回動アーム、１７ｄは係止バー、１８は係合機構、１９は係合片、２０は係合突起、２１はリターン突起、２２は係合解除部材を示す。
【００１１】
本発明による光トランシーバのイジェクト装置は、図１の模式図で示すように、ホスト装置基板１上に設けられるケージ（図示省略）の一方の側部側にガイドレール１０ａ，１０ｂを設け、ガイドレール１０ａにイジェクトバー１１を移動可能に配し、ガイドレール１０ｂにアーム駆動バー１２を移動可能に配して構成される。光トランシーバ６は、ホスト装置の前部に配設されるフロントパネル２のパネル開口３から挿抜され、前記のケージに着脱される。光トランシーバ６は、後部側にホスト装置の雌型電気コネクタに挿入接続される雄型電気コネクタ部（図示せず）を有し、前部側に光ファイバ８が接続された光コネクタ７が挿入されるレセプタクル部を有している。
【００１２】
ガイドレール１０ａにガイドされて移動するイジェクトバー１１は、引張りスプリング等で形成されるバネ部材１３により、フロントパネル２の方向に付勢され、イジェクトボタン１４の押込みにより、バネ部材１３の付勢力に抗して後方側に移動可能とされる。イジェクトバー１１の前部側の端部１１ａにはイジェクトボタン１４を有し、後部側の端部１１ｂにはレバーアーム１５が連結される。
【００１３】
イジェクトボタン１４は、そのボタン軸１４ａをフロントパネル２のボタン挿通口４を通して、パネル前面側より操作できるように設けられている。レバーアーム１５は、例えば、軸ピン１５ｂを支点として回動可能に設けられ、イジェクトバー１１の端部１１ｂに一方の端部が軸ピン１５ａで連結される。なお、軸ピン１５ａが嵌合するレバーアーム１５側の孔は、長孔で形成される。レバーアーム１５側の他方の端部には、例えば、軸ピン１５ｃにより押出し部材１６を連結しておく。この押出し部材１６は、挿着されている光トランシーバ６を押出して、ホスト装置との電気コネクタ接続を解除させる機能を持つ。
【００１４】
ガイドレール１０ｂにガイドされて移動するアーム駆動バー１２は、その前部側の端部１２ａに回動アーム機構１７が連結される。回動アーム機構１７は、アーム駆動バー１２の端部１２ａとフロントパネル２のカム収納部５に収納されたアームカム１７ｂとを、駆動アーム１７ａで連結して構成される。アームカム１７ｂには、回動アーム１７ｃが一体に回動するように取り付けられ、回動アーム１７ｃの先端には、光コネクタ７を抱えるように交差する係止バー１７ｄが設けられる。なお、回動アーム１７ｃと係止バー１７ｄは、図示のようなＴ字状とするか、または、Ｌ字状とすることができる。
【００１５】
アーム駆動バー１２とイジェクトバー１１との間には、係合機構１８が設けられる。この係合機構１８は、例えば、アーム駆動バー１２側にバネ状の係合片１９とリターン突起２１を設け、イジェクトバー１１側に係合突起２０を設け、アーム駆動バー１２とイジェクトバー１１との間で係合片１９の後方に、係合解除部材２２を設けた構成とすることができる。この係合機構１８により、後述するように、アーム駆動バー１２は、イジェクトバー１１の所定の位置（第１の押込み位置）までの押込み移動に連動して移動した後、その移動が停止され、イジェクトバー１１のリターンにより、初期位置に復帰する動作がなされる。
【００１６】
図２は、上述したイジェクト装置を上下２段で、（ａ）〜（ｆ）の６組を集合配列した例を示している。図では、上段のイジェクト装置（ａ）〜（ｃ）と、下段のイジェクト装置（ｄ）〜（ｆ）は、上下方向を反転させ、イジェクトボタン１４の位置ができるだけ離れるように配列した例である。そして、それぞれのフロントパネル２のパネル開口から、光トランシーバ６が挿着され、上段中間のイジェクト装置（ｂ）を除いて、各光トランシーバ６に光コネクタ７が挿着されているとする。光コネクタ７は、例えば、送信用と受信用の２つが並べて挿着され、この２つの光コネクタ間の間隙部分に、回動アーム機構１７の回動アームが入り込むようにしてセットされる。
【００１７】
図２において、ホスト装置から取り外す対象の光トランシーバは、上段中間のイジェクト装置（ｂ）に挿着されている光コネクタ７が外された状態の光トランシーバであるとする。この光トランシーバは、イジェクトボタン１４の押込みにより、回動アーム機構１７が駆動され、光トランシーバ６の前面にあるアームが上方に回動して、光トランシーバのイジェクト操作を許容し、取り外すことができる。しかし、光コネクタ７が挿着された状態の他の光トランシーバ６は、イジェクトボタン１４が押されても、光コネクタ７が存在することによって回動アーム機構１７回動が阻止される。この結果、イジェクトボタン１４の押込みが阻止され、イジェクト操作が拒否される。
【００１８】
次に、図３により上述のイジェクト装置のイジェクト動作について説明する。図３（Ａ）は、ホスト装置のケージ等に光トランシーバ６が挿着され、光トランシーバ６の前部レセプタクルに光コネクタ７が挿着され、光トランシーバ６の後部は、ホスト装置の電気コネクタと接続されている状態を示している。この状態は、回動アーム機構１７は非駆動の初期状態にあり、回動アーム１７ｃが２つの光コネクタ間に入り込み、係止バー１７ｄが両側の光コネクタを跨ぐようにして係止されている。
【００１９】
図３（Ａ）の光コネクタ７が光トランシーバ６に挿入された状態で、イジェクトボタン１４を押込むと、イジェクトバー１１の係合突起２０が、アーム駆動バー１２のバネ状の係合片１９の先端に突き当たって、アーム駆動バー１２を後方に移動させようとする。しかし、アーム駆動バー１２は、回動アーム機構１７に連結され、駆動アーム１７ａ→アームカム１７ｂ→回動アーム１７ｃ→係止バー１７ｄと連なっていて、係止バー１７は、光コネクタ７によって動きが阻止されている。このため、アーム駆動バー１２の移動が阻止され、これにより、イジェクトバー１１およびイジェクトボタン１４の移動も阻止され、光コネクタ７のイジェクト操作は実行することができない。
【００２０】
光コネクタ７を光トランシーバ６から外した状態で、バネ部材１３の付勢力に抗してイジェクトボタン１４を押込むとする。この場合は、イジェクトバー１１の係合突起２０が、アーム駆動バー１２のバネ状の係合片１９の先端に突き当たって、アーム駆動バー１２を後方に移動させることができる。これは、図３（Ｂ）に示すように、回動アーム機構１７の係止バー１７ｄおよび回動アーム１７ｃが、アームカム１７ｂと一体に回動が許容され、駆動アーム１７ａが駆動可能とされることによる。係止バー１７ｄおよび回動アーム１７ｃは９０°以上回動され、光トランシーバ６の前面を開放し、光トランシーバ６の取り出しを可能な状態にする。
【００２１】
図３（Ｂ）に示すように、イジェクトバー１１およびアーム駆動バー１２が所定の位置（第１の押込み位置）まで連動して移動されると、バネ状の係止片１９が係合解除部材２２により弾性的に変位され、イジェクトバー１１の係合突起２０との衝合から解除される。この結果、アーム駆動バー１２の移動は停止され、イジェクトバー１１およびイジェクトボタン１４のみが移動される。イジェクトバー１１の後部側の端部１１ｂに連結されたレバーアーム１５は、イジェクトバー１１の移動量に応じて回動し、押出し部材１６が挿着状態にある光トランシーバ６の後部に当たる。
【００２２】
続いて、さらにイジェクトバー１１およびイジェクトボタン１４を、バネ部材１３の付勢力に抗して押込んで移動させると、図３（Ｃ）に示すように、イジェクトバー１１の係合突起２０は、係合片１９に当たることなく通過する。これにより、イジェクトバー１１は、深い位置（第２の押込み位置）まで移動される。この結果、イジェクトバー１１の後部側の端部１１ｂに連結されたレバーアーム１５が大きく回動され、押出し部材１６を前部方向に移動させる。この押出し部材１６の移動で光トランシーバ６を取り出し方向にイジェクト（押出す）する。この押出し部材１６によるイジェクトは、ホスト装置との挿着を保持している光トランシーバの電気コネクタ接続が離脱させる程度であればよく、電気コネクタの接続が開放された後は、わずかな引き抜き力で容易に取り出すことができる。
【００２３】
光トランシーバ６がイジェクトされ、ホスト装置から取り出された後、イジェクトバー１１およびイジェクトボタン１４は、その押込みを解くことにより、バネ部材１３で自動的に図３（Ａ）の初期位置に復帰させることができる。しかし、プッシュ／プッシュ機構（図示省略）を用いて、イジェクトバー１１およびイジェクトボタン１４を第２の押込み位置に一旦保持した後に、再度の押込み操作で初期位置に復帰させるようにしてもよい。
【００２４】
また、次の図４に示すように、光トランシーバ６をホスト装置に挿着するときに、イジェクト装置が自動的に初期位置に復帰するようにしてもよい。図４（Ａ）は、図３（Ｃ）の光トランシーバを取り出した状態に引き続いて、再度、光トランシーバを挿着する状態を示している。光トランシーバを挿着する場合は、光コネクタが挿入された状態であっても挿着することは可能であるが、この場合は、回動アーム機構１７の係止バー１７ｄを光コネクタに係止させた初期位置に戻すことができない。したがって、光トランシーバ６を挿着する場合も、光コネクタを外した状態で挿着することが望ましい。
【００２５】
図４（Ａ）において、イジェクトバー１１が第２の押込み位置に保持され、回動アーム機構１７の回動アーム１７ｃと係止バー１７ｄを跳ね上げた駆動状態で、光トランシーバ６がホスト装置内に挿入されるとする。光トランシーバ６は、レバーアーム１５に連結された押出し部材１６に当たり、レバーアーム１５を回動し、イジェクトバー１１を前部方向に復帰させるように作用する。
【００２６】
光トランシーバ６を図４（Ａ）の位置からさらに押込むと、図４（Ｂ）に示すように、押出し部材１６を後方に押し戻し、光トランシーバ６はホスト装置と電気コネクタ接続される。押出し部材１６が押し戻されることにより、レバーアーム１５が回動され、イジェクトバー１１の保持状態が解除され、バネ部材１３の付勢力により前部方向に移動される。このとき、アーム駆動バー１２は、第１の押込み位置にあり、回動アーム機構１７は駆動状態にある。イジェクトバー１１の初期位置方向への移動に際して、イジェクトバー１１の係合突起２０がアーム駆動バー１２のリターン突起２１に当接し、アーム駆動バー１２を初期位置に戻すように作用する。
【００２７】
図４（Ｃ）に示すように、イジェクトバー１１が初期位置に戻ると、押出し部材１６は光トランシーバ６から離れ、イジェクトバー１１の係合突起２０により、アーム駆動バー１２が初期位置に移動される。アーム駆動バー１２の移動により、回動アーム機構１７はレバーカム１７ｂを回動し、回動アーム１７ｃと係止バー１７ｄを初期の回動位置に戻す。この状態で光トランシーバ６の挿着が終了し、イジェクト装置は初期状態に復帰する。この後、光トランシーバ６に光コネクタ７を挿入することで、回動アーム機構１７の駆動が阻止され、イジェクトボタンの１４の押込みが阻止され、光トランシーバ６の挿着が保持固定される。
【図面の簡単な説明】
【００２８】
【図１】本発明による光トランシーバのイジェクト装置の概略を説明する模式図である。
【図２】光トランシーバの配列状態の一例を示す図である。
【図３】光トランシーバのイジュエクト動作を説明する模式図である。
【図４】光トランシーバの挿着動作を説明する模式図である。
【符号の説明】
【００２９】
１…ホスト装置基板、２…フロントパネル、３…パネル開口、４…ボタン挿通口、５…カム収納部、５ａ…挿通部、６…光トランシーバ、７…光コネクタ、８…光ファイバ、１０ａ，１０ｂ…ガイドレール、１１…イジェクトバー、１１ａ，１１ｂ…端部、１２…アーム駆動バー、１２ａ…端部、１３…バネ部材、１４…イジェクトボタン、１４ａ…ボタン軸、１５…レバーアーム、１５ａ，１５ｂ，１５ｃ…軸ピン、１６…押出し部材、１７…回動アーム機構、１７ａ…駆動アーム、１７ｂ…アームカム、１７ｃ…回動アーム、１７ｄ…係止バー、１８…係合機構、１９…係合片、２０…係合突起、２１…リターン突起、２２…係合解除部材。
【図１】
2010066289.tif 000003
【図２】
2010066289.tif 000004
【図３】
2010066289.tif 000005
【図４】
2010066289.tif 000006